(57)【要約】【課題】端末保護部材に電線の端末を挿入し、電線が端末保護部材に保持される技術を提供すること。【解決手段】電線９の端末９０を保護可能な端末保護部材１００であって、端末保護部材１００は、端末９０を挿入可能な筒状の部分である筒状保護部５と、筒状保護部５の一方の端部５１から一方側へ延びて形成されたベラ部６と、筒状保護部５の一方の端部５１から一方側へ延びる部分と筒状保護部５の内周側へ折り曲げられた部分とを含む折り曲げ部７と、を備える。【選択図】図８
2017131015.tif 000002
【特許請求の範囲】
【請求項１】
電線の端末を保護可能な端末保護部材であって、
前記端末を挿入可能な筒状の部分である筒状保護部と、
前記筒状保護部の一方の端部から前記一方側へ延びて形成されたベラ部と、
前記筒状保護部の前記一方の端部から前記一方側へ延びる部分と前記筒状保護部の内周側へ折り曲げられた部分とを含む折り曲げ部と、を備える、端末保護部材。
【請求項２】
請求項１に記載の端末保護部材であって、
前記一方の端部に対する反対側の他方の端部が閉じられた部材である、端末保護部材。
【請求項３】
請求項１又は請求項２に記載の端末保護部材であって、
周方向における、前記ベラ部の領域が全体の半分以上となるように形成されている、端末保護部材。
【請求項４】
請求項１から請求項３のいずれか１項に記載の端末保護部材と、
前記筒状保護部に端末が挿入され、前記折り曲げ部と前記筒状保護部の内周面とに挟持された電線と、
前記ベラ部と前記電線との周囲を一括して覆うように巻き付けられた被覆部材と、を備える、端末保護部材付電線。
【請求項５】
筒状の部材の一方の端部から中間部分に亘ってスリットを周方向に沿って複数設けるスリット形成工程と、
前記複数のスリット間の部分のうち少なくとも１つを、前記筒状の部材の内周側に折り曲げる折り曲げ工程と、を備える、端末保護部材の製造方法。
【請求項６】
請求項５に記載の端末保護部材の製造方法であって、
前記一方の端部に対する反対側の他方の端部を塞ぐ塞ぎ工程、をさらに備える、端末保護部材の製造方法。
【請求項７】
請求項５又は請求項６に記載の端末保護部材の製造方法であって、
前記スリット形成工程は、押出成形によって得られた前記筒状の部材に、前記スリットを前記周方向に沿って複数設ける工程である、端末保護部材の製造方法。
【請求項８】
請求項１から請求項３のいずれか１項に記載の端末保護部材の前記筒状保護部に、前記一方側から電線の端末を挿入し、前記折り曲げ部で仮留めする仮留め工程と、
前記筒状保護部に前記端末が挿入され、前記折り曲げ部で仮留めされた前記電線と前記ベラ部とを固定する固定工程と、を備える、端末保護部材付電線の製造方法。
【請求項９】
請求項８に記載の端末保護部材付電線の製造方法であって、
前記固定工程は、前記筒状保護部に前記端末が挿入され、前記折り曲げ部で仮留めされた前記電線と前記ベラ部との周囲を一括して覆うように被覆部材を取り付けて固定する工程である、端末保護部材付電線の製造方法。
【発明の詳細な説明】
【技術分野】
【０００１】
本発明は、端末保護部材及びこれの製造方法、端末保護部材を含む端末保護部材付電線及びこれの製造方法に関する。
【背景技術】
【０００２】
特許文献１に示されるように、電線の端末に合成樹脂製のキャップが被せられることがある。特許文献１では、キャップに電線の端末が挿入された状態で、電線と舌片とにテープが巻き付けられ、キャップと電線とが固定されている。
【先行技術文献】
【特許文献】
【０００３】
【特許文献１】特開平１０−２４３５３９号公報
【発明の概要】
【発明が解決しようとする課題】
【０００４】
しかしながら、特許文献１において、テープ巻きが行われる前では、キャップ（端末保護部材）が電線の端末から抜けてしまうことが懸念される。この場合、例えば、電線とキャップの舌片とのテープ巻き作業が行い難い。
【０００５】
そこで、本発明は、端末保護部材（キャップ）に電線の端末を挿入し、電線が端末保護部材に保持される技術を提供することを目的とする。
【課題を解決するための手段】
【０００６】
第１態様に係る端末保護部材は、電線の端末を保護可能な端末保護部材であって、前記端末を挿入可能な筒状の部分である筒状保護部と、前記筒状保護部の一方の端部から前記一方側へ延びて形成されたベラ部と、前記筒状保護部の前記一方の端部から前記一方側へ延びる部分と前記筒状保護部の内周側へ折り曲げられた部分とを含む折り曲げ部と、を備える。
【０００７】
第２態様に係る端末保護部材は、第１態様に係る端末保護部材の一態様であって、前記一方の端部に対する反対側の他方の端部が閉じられた部材である。
【０００８】
第３態様に係る端末保護部材は、第１態様又は第２態様に係る端末保護部材の一態様であって、周方向における、前記ベラ部の領域が全体の半分以上となるように形成されている。
【０００９】
第４態様に係る端末保護部材付電線は、第１態様から第３態様のいずれか１つに係る端末保護部材と、前記筒状保護部に端末が挿入され、前記折り曲げ部と前記筒状保護部の内周面とに挟持された電線と、前記ベラ部と前記電線との周囲を一括して覆うように巻き付けられた被覆部材と、を備える。
【００１０】
第５態様に係る端末保護部材の製造方法は、筒状の部材の一方の端部から中間部分に亘ってスリットを周方向に沿って複数設けるスリット形成工程と、前記複数のスリット間の部分のうち少なくとも１つを、前記筒状の部材の内周側に折り曲げる折り曲げ工程と、を備える。
【００１１】
第６態様に係る端末保護部材の製造方法は、第５態様に係る端末保護部材の製造方法の一態様であって、前記一方の端部に対する反対側の他方の端部を塞ぐ塞ぎ工程、をさらに備える。
【００１２】
第７態様に係る端末保護部材の製造方法は、第５態様又は第６態様に係る端末保護部材の製造方法の一態様であって、前記スリット形成工程は、押出成形によって得られた前記筒状の部材に、前記スリットを前記周方向に沿って複数設ける工程である。
【００１３】
第８態様に係る端末保護部材付電線の製造方法は、第１態様から第３態様のいずれか１つに係る端末保護部材の前記筒状保護部に、前記一方側から電線の端末を挿入し、前記折り曲げ部で仮留めする仮留め工程と、前記筒状保護部に前記端末が挿入され、前記折り曲げ部で仮留めされた前記電線と前記ベラ部とを固定する固定工程と、を備える。
【００１４】
第９態様に係る端末保護部材付電線の製造方法は、第８態様に係る端末保護部材付電線の製造方法の一態様であって、前記固定工程は、前記筒状保護部に前記端末が挿入され、前記折り曲げ部で仮留めされた前記電線と前記ベラ部との周囲を一括して覆うように被覆部材を取り付けて固定する工程である。
【発明の効果】
【００１５】
上記の各態様では、端末保護部材が、筒状保護部の一方の端部から一方側へ延びる部分が筒状保護部の内周側へ折り曲げられた形状とされた折り曲げ部を備える。この場合、筒状保護部に挿入された電線は、筒状保護部の内周面と折り曲げ部とに挟まれる。これにより、電線を端末保護部材で保持することができる。
【００１６】
第２態様では、端末保護部材は、他方の端部が閉じられた部材である。この場合、電線の端末が筒状保護部の他方の端部に接触するまで挿入することで、端末保護部材に対する電線の位置決めを行うことができる。
【００１７】
第３態様では、周方向におけるベラ部の領域が、全体の半分以上となるように形成されている。この場合、少なくともベラ部が電線の周囲を半周程度覆うことができるため、ベラ部と電線とを安定して固定することができる。
【００１８】
第４態様では、端末保護部材の筒状保護部に挿入された電線は、筒状保護部の内周面と折り曲げ部とに挟まれる。これにより、電線を端末保護部材で保持することができる。
【００１９】
第５態様の製造方法で得られる端末保護部材に挿入された電線は、端末保護部材の内周面と折り曲げ部とに挟まれる。これにより、電線を端末保護部材で保持することができる。
【００２０】
第６態様の製造方法で得られる端末保護部材においては、電線の端末が他方の端部に接触するまで挿入することで、端末保護部材に対する電線の位置決めを行うことができる。
【００２１】
第７態様では、押出成形とそれに連続する工程とで端末保護部材を製造することができる。即ち、安価に端末保護部材を製造できる。
【００２２】
第８態様では、端末保護部材に挿入された電線は、筒状保護部の内周面と折り曲げ部とに挟まれる。これにより、電線を端末保護部材で保持（仮留め）することができる。そして、端末保護部材に電線が保持されているため、ベラ部と電線との固定を簡単に行うことができる。
【００２３】
第９態様では、ベラ部及び電線の周囲を覆うように一括して被覆部材を取り付ける作業を簡単に行うことができる。
【図面の簡単な説明】
【００２４】
【図１】実施形態に係る端末保護部材の製造方法を説明する説明図である。
【図２】実施形態に係る端末保護部材の製造方法を説明する説明図である。
【図３】実施形態に係る端末保護部材の製造方法を説明する説明図である。
【図４】実施形態に係る端末保護部材の製造方法を説明する説明図である。
【図５】実施形態に係る端末保護部材の製造方法を説明する説明図である。
【図６】実施形態に係る端末保護部材付電線の製造方法を説明する説明図である。
【図７】実施形態に係る端末保護部材付電線の製造方法を説明する説明図である。
【図８】実施形態に係る端末保護部材及び端末保護部材付電線の一部切り欠き側面図である。
【発明を実施するための形態】
【００２５】
以下、添付の図面を参照しつつ、本発明の実施形態について説明する。以下の実施形態は、本発明を具現化した一例であり、本発明の技術的範囲を限定する事例ではない。
【００２６】
＜実施形態＞
図１〜８を参照しつつ、実施形態に係る端末保護部材１００及びその製造方法について説明する。端末保護部材１００は、電線９の端末９０を保護可能な部材である。図１〜５は、端末保護部材１００の製造方法を説明する図である。図６，７は、端末保護部材付電線１０１の製造方法を説明する図である。図８は、端末保護部材１００及び端末保護部材付電線１０１を示す一部切り欠き側面図である。
【００２７】
本実施形態の端末保護部材１００の製造方法は、スリット形成工程と折り曲げ工程とを備える。なお、ここでは、端末保護部材１００の製造方法は、さらに、塞ぎ工程を備える。以下、図１〜５を参照しつつ、各工程の詳細について説明する。
【００２８】
まず、スリット形成工程について説明する。図１〜３に示されるように、スリット形成工程は、筒状の部材１０の一方の端部（以下、一方端部１１）から中間部分に亘ってスリット２を周方向に沿って複数設ける工程である。なお、ここでは、スリット形成工程は、押出成形によって得られた筒状の部材１０に、スリット２を周方向に沿って複数設ける工程である。
【００２９】
即ち、本実施形態では、図１に示されるように、押出成形によって得られる筒状の部材１０より、端末保護部材１００が作られる。筒状の部材１０を押出成形によって得る場合、製造コストを低減できる。なお、他の例として、筒状の部材１０が射出成形等により得られる部材である場合等も考えられる。
【００３０】
また、ここでは、筒状の部材１０は、例えば、塩化ビニル、ポリオレフィン又はポリプロピレン等の絶縁性を有する樹脂製又はゴム製の部材であることが考えられる。
【００３１】
スリット形成工程では、筒状の部材１０の一方端部１１から中間部分に亘ってスリット２が筒状の部材１０の周方向に沿って複数設けられる。より具体的には、ここでは、筒状の部材１０の全長の半分までスリット２が設けられる。なお、筒状の部材１０の全長とは、一方端部１１から一方端部１１に対する反対側の他方の端部（以下、他方端部１２）まで長さである。この場合、後述するベラ部６が過剰に長くなること及び短くなることを抑制できる。また、後述する折り曲げ部７を成す部分を十分な長さとすることができ、電線９の保持を十分に行うことができる。
【００３２】
また、ここでは、スリット２は、筋状のスリットである。そして、図３に示されるように、筒状の部材１０には、スリット２が２つ設けられる。また、ここでは、２つのスリット２は、周方向に沿って等間隔となるように設けられている。
【００３３】
なお、別の例として、筒状の部材１０にスリット２が３つ以上設けられている場合も考えられる。しかしながら、後述するように、周方向において隣り合う２つのスリット２の間の部分（スリット間部分２０）が、ベラ部６又は折り曲げ部７を成す。従って、ベラ部６及び折り曲げ部７が周方向において過剰に細くなることを抑制するため、筒状の部材１０には、例えば、２〜８つのスリット２が設けられることが考えられる。
【００３４】
また、ここでは、複数のスリット２が、周方向に沿って等間隔に設けられているが、複数のスリット２が、不規則な間隔で設けられている場合も考えられる。
【００３５】
また、ここでは、図２に示されるように、筒状の部材１０の他方端部１２を塞ぐ塞ぎ工程が行われる。塞ぎ工程は、スリット形成工程の前に行われても後で行われてもよい。
【００３６】
塞ぎ工程では、他方端部１２の開口が閉じられる。ここでは、図２に示されるように、他方端部１２の内周面同士を近付け、内周面同士が接着剤によって接着若しくは熱溶接又は超音波溶接によって溶着されることで、他方端部１２が閉じられている。
【００３７】
スリット形成工程の後には、折り曲げ工程が行われる。図４，５に示されるように、折り曲げ工程は、複数（ここでは、２つ）のスリット間部分２０のうち少なくとも１つを、筒状の部材１０の内周側に折り曲げる工程である。
【００３８】
より具体的に説明する。ここでは、図３に示されるように、スリット２が周方向に沿って等間隔で２つ設けられる。これにより、筒状の部材１０の半周の部分を含むスリット間部分２０が２つ形成される。
【００３９】
そして、この２つのスリット間部分２０のうちの一方（以下、上側スリット間部分２０１と称する）が、筒状の部材１０の内周側に折り曲げられる。より具体的には、ここでは、図４，５に示されるように、上側スリット間部分２０１の端面２１が他方端部１２側を向くように、根元から曲げられる。ここで、曲げられた上側スリット間部分２０１は、元の形状（一方側に延びた形状）に復帰しようとする弾性変形可能な部分である。このため、曲げられた上側スリット間部分２０１は元の形状に復帰しようとして、上側スリット間部分２０１の外周面の一部が、筒状の部材１０の内周面のうち２つのスリット間部分２０のうちの他方（以下、下側スリット間部分２０２と称する）側の面に押し付けられるように接触する。そして、この曲げられた上側スリット間部分２０１が、端末保護部材１００の折り曲げ部７を成す。
【００４０】
一方、ここでは、下側スリット間部分２０２は、曲げられず、一方側に延びた形状とされる。そして、この一方側に延びた形状とされる下側スリット間部分２０２は、端末保護部材１００のベラ部６を成す。
【００４１】
以上、本実施形態では、スリット形成工程、塞ぎ工程及び折り曲げ工程を経て、端末保護部材１００が作られる。従って、図４に示されるように、端末保護部材１００は、以下のように、筒状保護部５、ベラ部６及び折り曲げ部７を備える。
【００４２】
筒状保護部５は、電線９の端末９０を挿入可能な筒状の部分である。筒状保護部５の一方の端部５１には、ベラ部６と折り曲げ部７とが連なって形成されている。
【００４３】
一方、筒状保護部５の他方の端部５２（筒状の部材１０の他方端部１２と一致）は、閉じられている。この場合、この筒状保護部５に電線９が挿入される際の位置決めを簡単に行うことができる。詳細については、後述する。
【００４４】
ベラ部６は、筒状保護部５の一方の端部５１から一方側（一方の端部５１から他方の端部５２へ向かう方向に対する反対向きの方向）へ延びて形成されている。より具体的には、ここでは、筒状の部材１０の一方端部１１から中間部分に亘ってスリット２が複数（ここでは、２つ）形成され、複数（ここでは、２つ）のスリット２間の部分（スリット間部分２０）のうちの少なくとも１つ（ここでは、１つ）が、一方側へ延びた形状とされた部分がベラ部６である。
【００４５】
ここでは、端末保護部材１００が、断面円形状の筒状の部材１０より作られるため、ベラ部６は断面円弧状に形成されていることが考えられる。ベラ部６の内周面側には、後述するように電線９が配設される。また、ここでは、周方向におけるベラ部６の領域が、全体の半分以上（ここでは、全体の半分）となるように形成されている。ここでは、２つのスリット２が、周方向に沿って等間隔となるように筒状の部材１０に設けられ、２つのスリット間部分２０のうちの１つ（下側スリット間部分２０２）が、ベラ部６を成すためである。この場合、少なくともベラ部６が電線９の周囲を半周程度覆うことができるため、ベラ部６と電線９とを安定して固定することができる。
【００４６】
折り曲げ部７は、筒状保護部５の一方の端部５１から一方側へ延びる部分と筒状保護部５の内周側へ折り曲げられた部分とを含む。なお、折り曲げ部７において、筒状保護部５の一方の端部５１から一方側へ延びる部分と筒状保護部５の内周側へ折り曲げられた部分とが連なって形成されている。
【００４７】
ここでは、折り曲げ部７は、筒状保護部５の一方の端部５１から一方側へ延びる部分が筒状保護部５の内周側に折り曲げられた形状とされた部分である。より具体的には、ここでは、筒状の部材１０の一方端部１１から中間部分に亘ってスリット２が複数（ここでは、２つ）形成され、複数（ここでは、２つ）のスリット２間の部分（スリット間部分２０）のうちの少なくとも１つ（ここでは、１つ）が、筒状の部材１０の内周側へ折り曲げられた形状とされた部分が折り曲げ部７である。
【００４８】
ここでは、上述のように、折り曲げ部７は、弾性変形可能な部分であり、筒状保護部５の内周面にその一部が押し付けられるように接触している。折り曲げ部７と筒状保護部５の内周面との間には、後述するように電線９が挿入される。
【００４９】
ちなみに、ここでは、２つのスリット２が、周方向に沿って等間隔となるように筒状の部材１０に設けられ、２つのスリット間部分２０のうちの１つ（上側スリット間部分２０１）が、折り曲げ部７を成す。この場合、折り曲げ部７の幅を十分に確保できるため、電線９の保持が安定する。即ち、本実施形態の端末保護部材１００は、ベラ部６と電線９との固定を安定させつつ、折り曲げ部７による電線９の保持を安定させることができる。
【００５０】
次に、図６〜８を参照しつつ、端末保護部材付電線１０１及び端末保護部材付電線１０１の製造方法について説明する。ここでは、端末保護部材付電線１０１の製造方法は、仮留め工程と固定工程とを備える。
【００５１】
まず、端末保護部材付電線１０１における電線９について説明する。電線９は、例えば、芯線と芯線の周囲を覆う絶縁被覆とを備える絶縁電線であることが考えられる。ここでは、電線９の端部の絶縁被覆が除去され、芯線が露出している。
【００５２】
ここでは、端末保護部材１００には、２つの電線９が挿入される。２つの電線９は、それぞれの端部の芯線同士が溶接等により接続されている。ここでは、この端部の芯線同士が接続された部分を含む部分が端末９０である。より具体的には、ここでは、端末９０は、電線９の端部の芯線同士が接続された部分及び絶縁被覆の一部を含んでいる。
【００５３】
なお、別の例として、端末９０が、電線９の端部の芯線に接続された端子を含む場合も考えられる。また、１つ又は３つ以上の電線９が、端末保護部材１００に挿入される場合も考えられる。
【００５４】
仮留め工程について説明する。仮留め工程は、端末保護部材１００の筒状保護部５に、一方側から電線９の端末９０を挿入し、折り曲げ部７で仮留めする工程である。より具体的には、ベラ部６の内周面に電線９が配設されるように、電線９が筒状保護部５の内部へ一方側から挿入される。ここで、折り曲げ部７は、弾性変形可能な部分であり、筒状保護部５の内周面にその一部が押し付けられるように接触している。このため、折り曲げ部７と筒状保護部５の内周面との間に電線９の端末９０が挿入されると、電線９が折り曲げ部７と筒状保護部５の内周面とに挟まれる。これにより、電線９が端末保護部材１００に固定（仮留め）される。
【００５５】
なお、ここでは、筒状保護部５の他方の端部５２が閉じられている。このため、電線９を筒状保護部５の内部へ挿入する際、所定量電線９が挿入されると、電線９の端末９０が筒状保護部５の他方の端部５２に接触する。このため、例えば、筒状保護部５の他方の端部５２に端末９０が接触するまで、電線９を筒状保護部５の内部に挿入するようにすることで、電線９の筒状保護部５への挿入量が不十分となること及び過剰となることを抑制できる。
【００５６】
次に、固定工程について説明する。固定工程は、筒状保護部５に端末９０が挿入され、折り曲げ部７で仮留めされた電線９とベラ部６とを固定する工程である。なお、ここでは、固定工程は、筒状保護部５に端末９０が挿入され、折り曲げ部７で仮留めされた電線９とベラ部６との周囲を一括して覆うように被覆部材８を取り付け固定する工程である。
【００５７】
より具体的には、ここでは、被覆部材８は、テープ状の部材であり、一方の面側に粘着層が形成されている。そして、被覆部材８の粘着層を内側にして、電線９及びベラ部６の周囲を一括して覆うように被覆部材８が巻き付けられる。なお、別の例として、被覆部材８が、粘着層を含まないテープである場合又はバンドである場合等も考えられる。
【００５８】
ここでは、端末保護部材１００の折り曲げ部７と筒状保護部５の内周面とによって電線９が挟持されているため、被覆部材８を巻き付ける作業の際に端末保護部材１００から電線９の端末９０が抜けてしまうことを抑制できる。このため、被覆部材８を取り付ける作業をより簡単に行うことができる。
【００５９】
以上、本実施形態では、仮留め工程及び固定工程を経て、端末保護部材付電線１０１が作られる。従って、端末保護部材付電線１０１は、端末保護部材１００と電線９と被覆部材８とを備える。
【００６０】
端末保護部材付電線１０１においては、電線９の端末９０は、端末保護部材１００の筒状保護部５に挿入されている。また、電線９の端末９０は、折り曲げ部７と筒状保護部５の内周面とに挟持されている。
【００６１】
また、端末保護部材付電線１０１においては、被覆部材８は、ベラ部６と電線９との周囲を一括して覆うように巻き付けられている。
【００６２】
＜効果＞
本実施形態では、端末保護部材１００が、筒状保護部５の一方の端部５１から一方側へ延びる部分と筒状保護部５の内周側へ折り曲げられた部分とを含む折り曲げ部７を備える。この場合、筒状保護部５に挿入された電線９は、筒状保護部５の内周面と折り曲げ部７とに挟まれる。これにより、電線９を端末保護部材１００で保持することができる。
【００６３】
また、本実施形態では、端末保護部材１００は、他方の端部５２が閉じられた部材である。この場合、電線９の端末９０が筒状保護部５の他方の端部５２に接触するまで挿入することで、端末保護部材１００に対する電線９の位置決めを行うことができる。
【００６４】
また、本実施形態では、周方向におけるベラ部６の領域が、全体の半分以上（ここでは、全体の半分）となるように形成されている。この場合、少なくともベラ部６が電線９の周囲を半周程度覆うことができるため、ベラ部６と電線９とを安定して固定することができる。
【００６５】
また、本実施形態では、端末保護部材１００の筒状保護部５に挿入された電線９は、筒状保護部５の内周面と折り曲げ部７とに挟まれる。これにより、電線９を端末保護部材１００で保持することができる。
【００６６】
また、本実施形態では、押出成形とそれに連続する工程とで端末保護部材１００を製造することも可能である。即ち、安価に端末保護部材１００を製造することも可能である。
【００６７】
また、本実施形態では、端末保護部材１００に挿入された電線９は、筒状保護部５の内周面と折り曲げ部７とに挟まれる。これにより、電線９を端末保護部材１００で保持（仮留め）することができる。そして、端末保護部材１００に電線９が仮留めされているため、ベラ部６と電線９との固定を簡単に行うことができる。なお、ここでは、ベラ部６と電線９との周囲を一括して覆うように被覆部材８を取り付ける作業を簡単に行うことができる。
【００６８】
＜応用例＞
固定工程において、ベラ部と電線との固定を、接着剤による接着、若しくは、熱溶接又は超音波溶接等の溶着によって行う場合等も考えられる。
【００６９】
また、筒状保護部の他方の端部の開口に栓状の部材を嵌め込むことで、他方の端部が閉じられる場合も考えられる。
【００７０】
また、筒状の部材にスリットが３つ以上設けられる場合において、端末保護部材が、ベラ部又は折り曲げ部を２つ以上備える場合も考えられる。
【００７１】
また、筒状の部材にスリットが３つ以上設けられる場合において、３つ以上のスリット間部分のうちの一部が切除される場合も考えられる。
【００７２】
なお、本発明に係る端末保護部材、端末保護部材付電線、端末保護部材の製造方法及び端末保護部材付電線の製造方法は、各請求項に記載された発明の範囲において、以上に示された実施形態及び応用例を適宜、変形する又は一部を省略することによって構成されることも可能である。
【符号の説明】
【００７３】
１０  筒状の部材
１００  端末保護部材
１０１  端末保護部材付電線
１１  一方端部
１２  他方端部
２  スリット
５  筒状保護部
５１  一方の端部
５２  他方の端部
６  ベラ部
７  折り曲げ部
８  被覆部材
９  電線
９０  端末
【図１】
2017131015.tif 000003
【図２】
2017131015.tif 000004
【図３】
2017131015.tif 000005
【図４】
2017131015.tif 000006
【図５】
2017131015.tif 000007
【図６】
2017131015.tif 000008
【図７】
2017131015.tif 000009
【図８】
2017131015.tif 000010